(57)【要約】【課題】折畳み式底無し雨避け靴カバーの支持部材構造を提供する。【解決手段】前カバーシート、後カバーシート、支持部材及び結合部材で結合され、前記前カバーシートは周囲に間断なく支持部材を取り付け、後カバーシートは切り欠きを形成して前カバーシートと接合し、また、後カバーシートの前後の側辺に結合部材を取り付けるが、前記支持部材は略Ｌ字状に形成され、４箇所の湾曲端にカール部を形成することで、支持部材の取り付けにより靴カバーが靴との間を被覆して、一層多様化して便利な折り畳み收納が可能となる。【選択図】図１
0003177819.tif 000002
【実用新案登録請求の範囲】
【請求項１】
少なくとも前カバーシート、後カバーシート、支持部材、及び複数の結合部材を含んで構成された折畳み式底無し雨避け靴カバーの支持部材構造であって、
前記前カバーシートの周囲に環状が略Ｌ字状に形成された支持部材を取り付け、周囲の間に複数のカール部を形成して、後カバーシートは前後の側辺に結合部材を取り付けると共に、後カバーシートとの間に弧状の切り欠きを形成して、前カバーシートと結合させるが、前記支持部材の周囲のカール部は折り畳んで收納する際に好ましい柔軟性を持たせることできることから、收納や携帯に便利なように、全体の形体を一層扁平に折り込み易くして体積を縮小し、速やかに着脱可能で且つ重複して使用できることを特徴とする折畳み式底無し雨避け靴カバーの支持部材構造。
【請求項２】
前記支持部材の周囲の間にある複数のカール部は４箇所の端又は両端に取り付けられ、或いはカール部の取り付けなしでの実施が可能なことを特徴とする請求項１に記載の折畳み式底無し雨避け靴カバーの支持部材構造。
【請求項３】
前記前、後カバーシートの材質は防水薄膜又は防水生地での実施が可能なことを特徴とする請求項１に記載の折畳み式底無し雨避け靴カバーの支持部材構造。
【請求項４】
前記防水薄膜材質はシリコーン、熱可塑性ポリウレタン樹脂、ポリエチレン、ポリプロピレン、粘着シリコーン、又はポリ塩化ビニル若しくはその発泡体での実施が可能なことを特徴とする請求項３に記載の折畳み式底無し雨避け靴カバーの支持部材構造。
【請求項５】
前記防水生地の素材はナイロン、ポリエステル、又はポリプロピレンでの実施が可能なことを特徴とする請求項３に記載の折畳み式底無し雨避け靴カバーの支持部材構造。
【請求項６】
前記防水薄膜の厚みは約０．０１ｍｍから２ｍｍで実施されることを特徴とする請求項３に記載の折畳み式底無し雨避け靴カバーの支持部材構造。
【請求項７】
前記支持部材は弾性のある又は弾性のないピアノ線、形状記憶ワイヤ、亜鉛めっき鉄線、細ワイヤロープ、ステンレス鋼線材、プラスチック棒、又は繊維強化プラスチック棒等での実施が可能なことを特徴とする請求項１に記載の折畳み式底無し雨避け靴カバーの支持部材構造。
【請求項８】
前記支持部材の直径は約０．０５ｍｍから３ｍｍで実施されることを特徴とする請求項１に記載の折畳み式底無し雨避け靴カバーの支持部材構造。
【請求項９】
前記後カバーシートの結合部材はマジックテープ（登録商標）、ファスナ、又は粘着シリコーンシートでの実施が可能なことを特徴とする請求項１に記載の折畳み式底無し雨避け靴カバーの支持部材構造。
【請求項１０】
前記前カバーシートの支持部材の前縁底部に弧形状の固持部材を並列に増設し、リベット締め、固着、又は溶接により亜鉛めっき鉄線又はステンレス鋼線を取り付けて実施され、或いは前記支持部材は固持部材なしで実施されることを特徴とする請求項１に記載の折畳み式底無し雨避け靴カバーの支持部材構造。
【考案の詳細な説明】
【技術分野】
【０００１】
本考案は、折畳み式底無し雨避け靴カバーの支持部材構造の改良に関し、より詳しくは、軽くて薄い素材で製造された雨避け靴カバーを別の形式で速やかに折畳み収納させることに関する。
【背景技術】
【０００２】
海洋性気候の国ではスコールによく見舞われことがあり、雨降りの際に使用される雨避け用具は雨合羽や雨傘等であるが、これらは上着やズボンを雨避けするに留まり、ズボンの裾や靴、靴下の一部は大量の雨水を吸着して、かなりの悩みの種となっており、ライダーにとり、目下市販されている雨靴カバーは底の有るタイプの靴カバーであり、好ましい雨避け效果はあるものの、收納や着脱性が相対的に劣る。
【０００３】
また、別の形式は便利なタイプの雨靴カバー(例：簡便なタイプの雨合羽)で利便性を提供するものの、すっぽり被せるタイプであるためユーザが転倒し易く、更には各種の靴のタイプに対応できない。
【０００４】
出願人は以前の特許文献１に記載した「折畳み式の底無し雨避け靴カバー」のように、前記底無し雨避け靴カバーは軽くて薄い複数のシートを結合して底無し状に取り付けたと共に、前カバーシートの間に支持部材を取り付け、また、後カバーシートは切り欠き状に形成して、前後の側辺に結合部材を取り付け、軽くて薄く便利で且つ折畳んで收納し易い折畳み式の底無し雨避け靴カバーを実現した。
【先行技術文献】
【特許文献】
【０００５】
【特許文献１】台湾実用新案１００２２０９２５号公報
【考案の概要】
【考案が解決しようとする課題】
【０００６】
前述した従来の技術では、ユーザに一層便利な折畳み收納の提供が可能で、支持部材に適度な変形許容を持たせ、靴の爪先と靴の甲の終点はカール部で取り付け、底無し雨避け靴カバーが折畳まれると、左右両側から中心へ押し込んで略扁平状にして、スペースを占めない收納方法を実現した。然しながら、前後に折畳む方法で收納しようとする場合、前記支持部材はバネ状の取り付けでないことから、長時間湾曲すると断裂し易く突き刺さることがあるので、出願人はこれを考慮して、別の形式の折畳み收納方法を設計、即ち、前記支持部材を熱処理の方法で略Ｌ字状に取り囲む形体に形成し、且つ支持部材の4箇所の湾曲端にカール部を形成して、前カバーシートの周囲の間に取り付け、さらに後カバーシートと接合して、公知の底無し雨避け靴カバーの折畳收納方法を変更して、一層便利で体積がさらに小さい收納を実現した。
【０００７】
そこで、本発明者は上記の欠点が改善可能と考え、鋭意検討を重ねた結果、合理的設計で上記の課題を効果的に改善する本考案の提案に到った。
【０００８】
本考案は、このような従来の問題に鑑みてなされたものである。上記課題解決のため、本考案は、軽くて薄い素材で製造された雨避け靴カバーで別の形式で速やかに折畳み収納させることを主目的とする折畳み式の底無し雨避け靴カバーの支持部材構造を改良した。
【課題を解決するための手段】
【０００９】
上述した課題を解決し、目的を達成するために、本考案に係る折畳み式の底無し雨避け靴カバーの支持部材構造は、少なくとも前カバーシート、後カバーシート、支持部材、及び複数の結合部材を含んで構成され、前記前カバーシートの周囲に環状が略Ｌ字状に形成された支持部材を取り付け、周囲の間に複数のカール部を形成して、後カバーシートは前後の側辺に結合部材を取り付けると共に、後カバーシートとの間に弧状の切り欠きを形成して、前カバーシートと結合させるが、前記支持部材の周囲のカール部は折り畳んで收納する際に好ましい柔軟性を持たせることできることから、收納や携帯に便利なように、全体の形体を一層扁平に折り込み易くして体積を縮小し、速やかに着脱可能で且つ重複して使用できることを特徴とする。
【００１０】
この好ましい実施例では、前記前、後カバーシートの材質は防水薄膜又は防水生地での実施が可能なことを特徴とする。
【００１１】
この好ましい実施例では、前記防水薄膜材質はシリコーン(Silicone)、熱可塑性ポリウレタン樹脂(Thermoplastic
Polyurethane)、ポリエチレン(Polyethylene)、ポリプロピレン(Polypropylene)、粘着シリコーン(Sticky Silicone)、又はポリ塩化ビニルPVC(Polyvinyl chloride)若しくはその発泡体での実施が可能なことを特徴とする。
【００１２】
この好ましい実施例では、前記防水生地の素材はナイロン(Nylon)、ポリエステル(polyester)、又はポリプロピレン(Polypropylene)での実施が可能なことを特徴とする。
【００１３】
この好ましい実施例では、前記防水薄膜の厚みは約０．０１ｍｍから２ｍｍで実施されることを特徴とする。
【００１４】
この好ましい実施例では、前記支持部材は弾性のある又は弾性のないピアノ線、形状記憶ワイヤ、亜鉛めっき鉄線、細ワイヤロープ、ステンレス鋼線材、プラスチック棒、又は繊維強化プラスチック棒等での実施が可能なことを特徴とする。
【００１５】
この好ましい実施例では、前記支持部材の直径は約０．０５ｍｍから３ｍｍで実施されることを特徴とする。
【００１６】
この好ましい実施例では、前記前、後カバーシートの結合は高週波、超音波熱溶着、ヒートシール、縫い付け、テープ等の方法で実施可能なことを特徴とする。
【００１７】
この好ましい実施例では、前記後カバーシートは粘着シリコーン材(Sticky Silicone)でも実施可能なことを特徴とする。
【００１８】
この好ましい実施例では、前記後カバーシートの結合部材はマジックテープ（登録商標）、ファスナ、又は粘着シリコーンシートでの実施が可能なことを特徴とする。
【００１９】
この好ましい実施例では、前記支持部材の先端の一部は別途並列にリベット締めして、亜鉛めっき鉄線、又はステンレス鋼線材を取り付けて実施可能なことを特徴とする。
【考案の効果】
【００２０】
本考案によれば、折畳み式底無し雨避け靴カバーの支持部材構造が改良される。
【図面の簡単な説明】
【００２１】
【図１】本考案に係る折畳み式底無し雨避け靴カバーの支持部材構造の斜視概略図である。
【図２】本考案に係る折畳み式底無し雨避け靴カバーの支持部材構造の斜視分解概略図である。
【図３】本考案に係る折畳み式底無し雨避け靴カバーの支持部材構造における支持部材が接合された概略図である。
【図４】本考案に係る折畳み式底無し雨避け靴カバーの支持部材構造における支持部材のカール部の概略図である。
【図５】本考案に係る折畳み式底無し雨避け靴カバーの支持部材構造における前カバーシートの上面から見た実施形態における概略図である。
【図６】本考案に係る折畳み式底無し雨避け靴カバーの支持部材構造における前カバーシートの正面から見た実施形態における概略図である。
【図７】本考案に係る折畳み式底無し雨避け靴カバーの支持部材構造の改良における支持部材を折畳み状にした実施形態における概略図である。
【図８】本考案に係る折畳み式底無し雨避け靴カバーの支持部材構造における支持部材を折畳み状にした実施形態における概略図である。
【図９】本考案に係る折畳み式底無し雨避け靴カバーの支持部材構造における前カバーシートに固持部材を設けた実施形態における概略図である。
【考案を実施するための形態】
【００２２】
以下に図面を参照して、本考案を実施するための形態について、詳細に説明する。なお、本考案は、以下に説明する実施形態に限定されるものではない。
まず、本考案の折畳み式底無し雨避け靴カバーの支持部材構造の実施形態について説明する。
［第１実施形態］
図１及び図２のように、前記底無し雨避け靴カバー１は前カバーシート１０、後カバーシート１１、支持部材１２及び結合部材１３、１３´で結合され、前記前カバーシート１０は略楕円形のシートで、周囲に支持部材を取り付けて定型効果を実現して、靴の表面を被覆し、前カバーシート１０の一側の接合部１４は後カバーシート１１の切り欠き１５の接合部１４´と接合されるが、前記接合方法は高週波、超音波熱溶着、ヒートシール、縫い付け、テープ等の方法での実施が可能である。
【００２３】
前記後カバーシート１１は略矩形のシートで、ふくらはぎに巻いて被覆可能であり、一箇所に弧状の切り欠き１５を形成し、前後の側辺にそれぞれオス・メスで接合される結合部材１３、１３´が取り付けられる。前記結合部材１３、１３´はマジックテープ（登録商標）、ファスナ、又は粘着シリコーンシートでの実施が可能で、前記切り欠き１５の接合部１４´は前カバーシート１０の接合部１４と相互に接合されるが、接合方法は高週波、超音波熱溶着、ヒートシール、縫い付け、テープ等の方法で実施可能である。前記前、後カバーシート１０、１１の材質は防水薄膜又は防水生地での取り付けが可能であるが、防水薄膜はシリコーン、熱可塑性ポリウレタン樹脂、ポリエチレン、ポリプロピレン、粘着シリコーン、ポリ塩化ビニル、又はその発泡体での実施が可能で、前記の厚みは約０．０１ｍｍから２ｍｍで実施される。また、防水生地はナイロン、ポリエステル、ポリプロピレンでの実施、或いは、前記前、後カバーシート１０、１１各素材の膜、生地、又は同素材若しくは異質の素材を組合せての実施が可能である。然しながら、前記後カバーシート１１は粘着シリコーン膜でも実施可能で、前記材質で取り付ける場合、結合部材１３、１３´を使用する必要がなく、自動的に相互に接着され、また、前、後カバーシート１０、１１の結合は局部又は全部が防水防湿性の素材でも実施可能である。
【００２４】
前記支持部材１２は略細い棒状で、間断なく取り囲むようにして略Ｌ字状に形成されて取り付けられる。湾曲した端部Ａ、Ｂ、Ｃ、Ｄにバネ状のカール部１２１を回転状に取り付け（図４参照）、好ましい湾曲性を実現し、支持部材は熱処理された弾性のある又は弾性のないピアノ線、形状記憶ワイヤ、亜鉛めっき鉄線、細ワイヤロープ、ステンレス鋼線材等の金属線、又はプラスチック棒、繊維強化プラスチック棒等で実施可能であり、且つ直径は約０．０５ｍｍから３ｍｍで実施され、前カバーシートの周囲に取り付けられる。
【００２５】
前記結合部材１３、１３´はオス・メス部材の接合で、それぞれ後カバーシート１１の前後の側辺に取り付けられ、マジックテープ（登録商標）、ファスナ、又は粘着シリコーンシートで実施して取り付け可能である。そして、前カバーシート１０と後カバーシート１１は薄膜材質を取り付けて接合し、前カバーシート１０の周囲の間に湾曲可能な支持部材１２を取り付けることで、ユーザの着脱に一層便利となる上に、更に簡便で折り畳んで收納し易い特性を提供する。また、図３、図４、図５、図６、図７、及び図８のとおり、図面は支持部材１２の実施概略図であることが分かり、前記底無し雨避け靴カバー１は前カバーシート１０、後カバーシート１１、支持部材１２、及び結合部材１３、１３´で結合される。前記前カバーシート１０の周囲に支持部材１２を取り付けるが、前記支持部材１２は間断なく取り囲むように略Ｌ字状に形成されて取り付け、弾性のある又は弾性のないピアノ線、形状記憶ワイヤ、亜鉛めっき鉄線、細ワイヤロープ、ステンレス鋼線材、プラスチック棒、又は繊維強化プラスチック棒等で実施可能で、且つ直径は約０．０５ｍｍから３ｍｍで実施されるが、平棒状の支持部材１２でも実施される。然しながら、支持部材１２の先端と末端の両端は接合部材１２０で両端部を加圧して接合、或いは、溶接方法で接合して、取り囲んだ形体にする。
【００２６】
さらに、図４、図５、図６、図７、及び図８のように、前記支持部材１２は取り囲むように取り付けるが、端部Ａ、Ｂ、Ｃ、Ｄに好ましい湾曲性を持たせるため、バネ状のカール部１２１を取り付けて、左右両側の端部Ｃ、Ｄが靴の爪先の中心に向かって圧迫される場合（図８参照）、又は端部Ａ、Ｂが上下の縱方向に湾曲する場合（図７参照）、支持部材１２は共に大き目の湾曲角度を持つ。また、前記端部Ａ、Ｂ、Ｃ、Ｄはカール部１２１の取り付けを好ましい実施形態としており、前記支持部材１２は熱処理された弾性若しくは弾性のないピアノ線、形状記憶ワイヤ、亜鉛めっき鉄線、細ワイヤロープ、ステンレス鋼線材等の金属線、又はプラスチック棒、繊維強化プラスチック棒等で取り付けられるので、前記支持部材１２には既に適度な変形許容がある。前記端部Ａ、Ｂ、Ｃ、Ｄにはカール部１２１を取り付けるものの、別の実施形態の場合、端部Ａ、Ｂのみの取り付け、又は端部Ｃ、Ｄのみの取り付けでの実施も可能であり、或いは前記端部Ａ、Ｂ、Ｃ、Ｄはカール部１２１無しでも実施されるが、何れも支持部材１２に湾曲動作が行えることから、ユーザにとり携帯可能な雨具となる上に一層利便性が向上する。
【００２７】
図９は前カバーシートの間に固持部材を取り付けた実施形態の概略図であり、底無し雨避け靴カバー１に好ましい固持性を持たせるため、別途、支持部材１２の前縁底部に弧形状の固持部材１６を並列に増設可能であるが、固持部材１６は弾性のない自由に湾曲可能な亜鉛めっき鉄線又はステンレス鋼線材で実施可能で、前記固持部材１６の先端と末端部は、リベット締め、固着、又は溶接接方法で支持部材１２と並列に接合し、固持部材１６の一部は前カバーシート１０の外縁から露出し、ユーザが底無し雨避け靴カバー１の装着が完了すると、ユーザのニーズに応じて固持部材１６を別方向に湾曲して固持して、靴カバーの安定性が高められ、また、前記支持部材１２は固持部材１６の取り付け無しでも実施可能である。
【００２８】
以上、本考案はこのような実施形態に限定されるものではなく、考案の趣旨を逸脱しない範囲において、種々の形態で実施することができる。
【符号の説明】
【００２９】
１    底無し雨避け靴カバー
１０  前カバーシート
１１  後カバーシート
１２  支持部材
１２０  接合部材
１２１  カール部
１３、１３´  結合部材
１４、１４´  接合部
１５  切り欠き
１６  固持部材
２    靴
Ａ、Ｂ、Ｃ、Ｄ  端部
【図１】
0003177819.tif 000003
【図２】
0003177819.tif 000004
【図３】
0003177819.tif 000005
【図４】
0003177819.tif 000006
【図５】
0003177819.tif 000007
【図６】
0003177819.tif 000008
【図７】
0003177819.tif 000009
【図８】
0003177819.tif 000010
【図９】
0003177819.tif 000011